【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体の表面を帯電位置で帯電させる帯電手段と、
表面にトナーを担持し、現像位置で前記像担持体の表面にトナーを付着させる回転可能な現像部材と、
規制位置で、前記現像部材の表面に担持されるトナーを規制する規制部材と、
転写位置で、前記像担持体に付着された前記トナーの転写を行う回転可能な転写部材と、
前記転写位置において前記像担持体に前記転写部材が当接する当接位置と、前記像担持体から前記転写部材が離間する離間位置と、に前記転写部材を移動させる接離手段と、
前記接離手段を制御可能な制御手段と、を有し、
前記像担持体及び前記現像部材の回転が停止した状態において前記規制位置に位置する前記現像部材の領域を第１の領域とし、前記像担持体及び前記現像部材の回転が停止した状態から前記像担持体及び前記現像部材を回転させた際に、前記第１の領域が最初に前記現像位置に到達した時に前記現像位置において前記第１の領域と当接する前記像担持体の領域を第２の領域とした場合、前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記像担持体の前記第２の領域が最初に前記転写位置に到達した後に、前記離間位置から前記当接位置に前記転写部材が移動するように、前記接離手段を制御することを特徴とする画像形成装置。
【請求項２】
前記帯電手段に帯電電圧を印加する第１の印加手段と、
前記現像部材に現像電圧を印加する第２の印加手段と、を有し、
前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記帯電手段に前記帯電電圧が初めて印加された時に前記帯電位置に位置した前記像担持体の第３の領域が最初に前記現像位置に到達した後に、前記現像部材に前記現像電圧が初めて印加されるように制御し、前記像担持体の第３の領域が最初に前記転写位置に到達した後に、前記像担持体の前記第２の領域が前記転写位置に到達するように制御することを特徴とする請求項１に記載の画像形成装置。
【請求項３】
前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記第３の領域が最初に前記現像位置に到達した後に、前記第１の領域が前記現像位置に到達するように制御することを特徴とする請求項２に記載の画像形成装置。
【請求項４】
前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記第３の領域が前記帯電位置に位置した状態で前記帯電手段に第１の帯電電圧が印加されるように制御し、前記第３の領域が前記帯電位置から移動した後に前記帯電手段に前記第１の帯電電圧と同極性で前記第１の帯電電圧よりも絶対値が大きい第２の帯電電圧が印加されるように、前記第１の印加手段を制御することを特徴とする請求項２又は３に記載の画像形成装置。
【請求項５】
前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記像担持体の回転が開始される前に前記現像部材に印加される前記現像電圧と、前記第３の領域が最初に前記現像位置に到達した時よりも後に前記現像部材に印加される前記現像電圧と、の極性が異なるように、前記第２の印加手段を制御することを特徴とする請求項４に記載の画像形成装置。
【請求項６】
前記制御手段は、前記像担持体、前記現像部材及び前記転写部材の回転が停止し、かつ、前記転写部材が前記離間位置に位置した状態から、前記像担持体、前記現像部材及び前記転写部材が回転し、かつ、前記転写部材が前記当接位置に位置した状態に移行する際に、前記像担持体及び前記転写部材の回転速度が所定の定常速度になった後に、前記離間位置から前記当接位置に前記転写部材が移動するように、前記接離手段を制御することを特徴とする請求項１乃至５のいずれか一項に記載の画像形成装置。
【請求項７】
前記像担持体、前記現像部材及び前記転写部材の回転が停止し、かつ、前記転写部材が前記離間位置に位置した状態から、前記像担持体、前記現像部材及び前記転写部材が回転し、かつ、前記転写部材が前記当接位置に位置した状態に移行する際に、前記像担持体及び前記転写部材の回転速度が所定の定常速度になった後に、前記像担持体の前記第２の領域が最初に前記転写位置に到達する第１のモードと、
前記像担持体、前記現像部材及び前記転写部材の回転が停止し、かつ、前記転写部材が前記離間位置に位置した状態から、前記像担持体、前記現像部材及び前記転写部材が回転し、かつ、前記転写部材が前記当接位置に位置した状態に移行する際に、前記像担持体及び前記転写部材の回転速度が所定の定常速度になる前に、前記像担持体の前記第２の領域が最初に前記転写位置に到達する第２のモードと、
で画像形成を行うことが可能であり、
前記制御手段は、前記第１のモードにおける前記定常速度よりも前記第２のモードにおける前記定常速度の方が速くなるように制御することを特徴とする請求項６に記載の画像形成装置。
【請求項８】
前記制御手段は、画像形成中の任意の時点から、該時点で前記規制位置にあった前記現像部材の表面と前記現像位置で最初に対向した前記像担持体の表面が最初に前記転写位置に到達するまでにかかる時間よりも、前記像担持体及び前記現像部材の回転が停止した状態から前記像担持体及び前記現像部材が回転した状態に移行する際の前記現像部材の回転が開始された時から前記像担持体の前記第２の領域が最初に前記転写位置に到達するまでにかかる時間の方が短くなるように、前記像担持体及び前記現像部材の回転が停止した状態から前記像担持体及び前記現像部材が回転した状態に移行する際の一部の期間に、前記像担持体又は前記現像部材の少なくとも一方の回転速度を画像形成中の回転速度よりも速くするように、前記像担持体又は前記現像部材の少なくとも一方の駆動手段を動作させることを特徴とする請求項１乃至７のいずれか一項に記載の画像形成装置。
【請求項９】
前記現像部材の回転が停止されてから前記現像部材の回転が開始されるまでの時間に関する情報に関する値を取得する取得手段を有し、
前記制御手段は、前記取得手段により取得された前記値に基づいて、前記接離手段を制御することを特徴とする請求項１乃至８のいずれか一項に記載の画像形成装置。
【請求項１０】
前記制御手段は、前記取得手段により取得された前記値が第１の値の場合に、前記離間位置から前記当接位置に前記転写部材が移動するように前記接離手段を制御する前に、前記像担持体の前記第２の領域が最初に前記転写位置に到達するように前記接離手段を制御し、前記取得手段により取得された前記値が前記第１の値より小さい第２の値の場合に、前記離間位置から前記当接位置に前記転写部材が移動するように前記接離手段を制御した後に、前記像担持体の前記第２の領域が最初に前記転写位置に到達するように前記接離手段を制御することを特徴とする請求項９に記載の画像形成装置。
【請求項１１】
前記転写部材は、前記像担持体から転写されたトナー像を記録材に転写するために搬送する中間転写体であることを特徴とする請求項１乃至１０のいずれか一項に記載の画像形成装置。
【手続補正２】
【補正対象書類名】明細書
【補正対象項目名】００１１
【補正方法】変更
【補正の内容】
【００１１】
上記目的は本発明に係る画像形成装置にて達成される。要約すれば、本発明は、回転可能な像担持体と、前記像担持体の表面を帯電位置で帯電させる帯電手段と、表面にトナーを担持し、現像位置で前記像担持体の表面にトナーを付着させる回転可能な現像部材と、規制位置で、前記現像部材の表面に担持されるトナーを規制する規制部材と、転写位置で、前記像担持体に付着された前記トナーの転写を行う回転可能な転写部材と、前記転写位置において前記像担持体に前記転写部材が当接する当接位置と、前記像担持体から前記転写部材が離間する離間位置と、に前記転写部材を移動させる接離手段と、前記接離手段を制御可能な制御手段と、を有し、前記像担持体及び前記現像部材の回転が停止した状態において前記規制位置に位置する前記現像部材の領域を第１の領域とし、前記像担持体及び前記現像部材の回転が停止した状態から前記像担持体及び前記現像部材を回転させた際に、前記第１の領域が最初に前記現像位置に到達した時に前記現像位置において前記第１の領域と当接する前記像担持体の領域を第２の領域とした場合、前記制御手段は、前記像担持体及び前記現像部材の回転が停止し、かつ、前記転写部材が前記離間位置に位置した状態から、前記像担持体及び前記現像部材が回転し、かつ、前記転写部材が前記当接位置に位置した状態に移行する際に、前記像担持体の前記第２の領域が最初に前記転写位置に到達した後に、前記離間位置から前記当接位置に前記転写部材が移動するように、前記接離手段を制御することを特徴とする画像形成装置である。